(57)【特許請求の範囲】
【請求項１】
ハウジングと、前記ハウジング内に設けられている電気音響変換アセンブリと、前記ハウジング内に設けられている回路基板とを備え、カナル型イヤホンのハウジング内に取り付けられる両ダイナミック型ドライバーユニットが一体化されたスピーカユニットであって、
前記電気音響変換アセンブリは、第一ダイナミック型ドライバーユニット及び第二ダイナミック型ドライバーユニットを備え、
前記ハウジングは、両円筒状をなしており、平行に設けられて互いに離間している第一収容筒及び第二収容筒を備え、前記第一収容筒及び前記第二収容筒のそれぞれの外側壁の一部が除かれて、カナル型イヤホンのハウジング内に取り付けるためのクイック取付溝が設けられており、前記ハウジングの端部には、前記第一収容筒の端部と前記第二収容筒の端部とを接続する溝部を備え、
前記第一ダイナミック型ドライバーユニット及び前記第二ダイナミック型ドライバーユニットが前記第一収容筒及び前記第二収容筒内にそれぞれ収容されており、
前記回路基板は、中間のブリッジ接続板及びブリッジ接続板の両端に位置する円板を備え、前記ハウジングの端部に取り付けられて、前記両円板が前記第一収容筒内及び前記第二収容筒内にそれぞれ収容され、且つ前記ブリッジ接続板が前記溝部に収容されて、前記第一ダイナミック型ドライバーユニット及び前記第二ダイナミック型ドライバーユニットと電気的に接続されていることを特徴とする両ダイナミック型ドライバーユニットが一体化されたスピーカユニット。
【請求項２】
前記ハウジングの横断面が「８」字状となっていることを特徴とする請求項１に記載の両ダイナミック型ドライバーユニットが一体化されたスピーカユニット。
【請求項３】
前記第一ダイナミック型ドライバーユニット及び第二ダイナミック型ドライバーユニットのそれぞれは、上から順に設けられているヨーク、永久磁石、ポールピース、ボイスコイル、振動板、銅リング及びプロテクタを備え、
前記永久磁石、ポールピース内が中空となって可動室を形成し、前記ボイスコイルが振動板に固定されて前記可動室に嵌入され、前記ヨークが板部及び板部から下方に突起するロッド部を備え、前記ヨークの板部が永久磁石に密着して設けられ、前記ヨークのロッド部が前記可動室内に収容されて前記ボイスコイルで巻回され、ボイスコイルが前記回路基板に電気的に接続されていることを特徴とする請求項１に記載の両ダイナミック型ドライバーユニットが一体化されたスピーカユニット。
【請求項４】
前記ハウジングの第一収容筒及び第二収容筒のそれぞれは、上室と、下室と、上室と下室とを仕切る仕切り段差とを備え、前記ヨーク、永久磁石、ポールピースが上室内でそれぞれ上から順に密着して設けられ、前記ポールピースの下端面が仕切り段差の上端面と当接され、
前記振動板、銅リング及びプロテクタが下室内でそれぞれ上から下にかけて取り付けられ、振動板の上端面が仕切段差の下端面に当接され、振動板の下端面が銅リングの上端面に当接され、前記プロテクタが銅リングと間隔をおいて設けられており、
前記ボイスコイルが前記上室内に突出していることを特徴とする請求項３に記載の両ダイナミック型ドライバーユニットが一体化されたスピーカユニット。
【請求項５】
前記第一収容筒及び第二収容筒のそれぞれの上室内に位置規制溝が設けられ、前記ヨークの板部のエッジが前記位置規制溝に嵌合されていることを特徴とする請求項４に記載の両ダイナミック型ドライバーユニットが一体化されたスピーカユニット。
【請求項６】
前記回路基板は、前記両円板が前記第一収容筒内及び前記第二収容筒内にそれぞれ収容されて、ヨークの板部の上方に位置することを特徴とする請求項３に記載の両ダイナミック型ドライバーユニットが一体化されたスピーカユニット。
【請求項７】
前記回路基板の円板に軸方向に第一貫通孔が穿設され、前記ヨークのロッド部に軸方向に第二貫通孔が穿設され、前記第一貫通孔と第二貫通孔とが連通していることを特徴とする請求項６に記載の両ダイナミック型ドライバーユニットが一体化されたスピーカユニット。
【請求項８】
前記回路基板には、入力されたオーディオ信号を周波数の異なる信号に変換して第一ダイナミック型ドライバーユニット及び第二ダイナミック型ドライバーユニットにそれぞれ送信する分周回路が設けられていることを特徴とする請求項１に記載の両ダイナミック型ドライバーユニットが一体化されたスピーカユニット。
【発明の詳細な説明】
【技術分野】
【０００１】
本発明は、音響技術分野に関し、特に両ダイナミック型ドライバーユニットが一体化されたスピーカユニットに関する。
【背景技術】
【０００２】
マイクロスピーカは主にカナル型イヤホンに使用され、一般的なカナル型イヤホンは、１つのイヤホンに１つのドライバーユニット（ダイナミック型ドライバーユニット又はバランスドアーマチュア型ドライバーユニット）を有するスピーカユニットで放音し、放音の基本的な要求を満たすことが多い。
【０００３】
高音質の要求を満たすために、市販されているカナル型イヤホンには、１つのイヤホン内のドライバーユニットを２つにすることにより、イヤホンの音質を高めるものもある。
【０００４】
しかしながら、１つのイヤホンに２つのドライバーユニットを配置する従来技術には、以下の欠陥を有する。
１：従来のように１つのスピーカユニットに１つのみのドライバーユニットを配置しているため、１つのイヤホンに２つのドライバーユニットを配置する場合には、２つのスピーカユニットを配置する必要があり、イヤホンのハウジング内に２つのスピーカユニットを配置するのに十分なスペースが必要となり、イヤホンの体積が大きくなってしまう。
２：不良率が高い。１つのイヤホンに２つのスピーカユニットを用いるため、左右両側のイヤホンは合計で４つのスピーカユニットが必要となり、４つのスピーカユニット内のドライバーユニット全てが一致しなければ、製造される製品が良品であることを確保できず、任意のスピーカユニット内のドライバーユニットが不良品であると、イヤホン全体として不良となる。
３：組立が困難である。イヤホンの組み立て時に、４つのスピーカユニットをそれぞれ取り付け、組立工程を４回繰り返す必要があるので、手間や工数がかかる。
【０００５】
したがって、従来技術には改善の余地がある。
【発明の概要】
【発明が解決しようとする課題】
【０００６】
本発明は、上述した従来技術の不都合に鑑みてなされたものであり、カナル型イヤホンの音質を向上させるとともに、カナル型イヤホンの体積を減少させて、組立効率を向上させ、カナル型イヤホンの製品の不良率を低減させるために、両ダイナミック型ドライバーユニットが一体化されたスピーカユニットを提供することを目的とする。
【課題を解決するための手段】
【０００７】
上記目的を実現するために、本発明は以下の技術的手段を採用する。
【０００８】
ハウジングと、ハウジング内に設けられている電気音響変換アセンブリと、回路基板とを備える両ダイナミック型ドライバーユニットが一体化されたスピーカユニットであって、
前記電気音響変換アセンブリは、第一ダイナミック型ドライバーユニット及び第二ダイナミック型ドライバーユニットを備え、
前記ハウジングは、両円筒状をなしており、平行に設けられて互いに離間している第一収容筒及び第二収容筒を備え、前記第一ダイナミック型ドライバーユニット及び第二ダイナミック型ドライバーユニットが第一収容筒及び第二収容筒内にそれぞれ収容されており、
前記回路基板は、ハウジングの端部に取り付けられて、第一ダイナミック型ドライバーユニット及び第二ダイナミック型ドライバーユニットと電気的に接続されている。
【０００９】
前記ハウジングの横断面が「８」字状となっている。
【００１０】
前記第一ダイナミック型ドライバーユニット及び第二ダイナミック型ドライバーユニットのそれぞれは、上から順に設けられているヨーク、永久磁石、ポールピース、ボイスコイル、振動板、銅リング及びプロテクタを備え、
前記永久磁石、ポールピース内が中空となって可動室を形成し、前記ボイスコイルが振動板に固定されて前記可動室に嵌入され、前記ヨークが板部及び板部から下方に突起するロッド部を備え、前記ヨークの板部が永久磁石に密着して設けられ、前記ヨークのロッド部が前記可動室内に収容されて前記ボイスコイルで巻回され、ボイスコイルが前記回路基板に電気的に接続されている。
【００１１】
前記ハウジングの第一収容筒及び第二収容筒のそれぞれは、上室と、下室と、上室と下室とを仕切る仕切り段差とを備え、前記ヨーク、永久磁石、ポールピースが上室内でそれぞれ上から順に密着して設けられ、前記ポールピースの下端面が仕切り段差の上端面と当接され、
前記振動板、銅リング及びプロテクタが下室内でそれぞれ上から下にかけて取り付けられ、振動板の上端面が仕切段差の下端面に当接され、振動板の下端面が銅リングの上端面に当接され、前記プロテクタが銅リングと間隔をおいて設けられており、
前記ボイスコイルが前記上室内に突出している。
【００１２】
前記第一収容筒及び第二収容筒のそれぞれの上室内に位置規制溝が設けられ、前記ヨークの板部のエッジが前記位置規制溝に嵌合されている。
【００１３】
前記回路基板は、中間のブリッジ接続板及びブリッジ接続板の両端に位置する円板を備え、前記両円板が第一収容筒及び第二収容筒内にそれぞれ収容されて、ヨークの板部の上方に位置する。
【００１４】
前記回路基板の円板に軸方向に第一貫通孔が穿設され、前記ヨークのロッド部に軸方向に第二貫通孔が穿設され、前記第一貫通孔と第二貫通孔とが連通している。
【００１５】
前記ハウジングは、第一収容筒及び第二収容筒のそれぞれの外側壁にクイック取付溝が設けられている。
【００１６】
前記回路基板には、入力されたオーディオ信号を周波数の異なる信号に変換して第一ダイナミック型ドライバーユニット及び第二ダイナミック型ドライバーユニットにそれぞれ送信する分周回路が設けられている。
【発明の効果】
【００１７】
本発明に係る両ダイナミック型ドライバーユニットが一体化されたスピーカユニットは、１つのスピーカユニット内に２つのダイナミック型ドライバーユニットを設けて、２つのダイナミック型ドライバーユニットが１つのハウジング及び回路基板を共用してオーディオの再生を行うことにより、一つのカナル型イヤホンに１つのみのスピーカユニットの取付位置を配置すればよく、イヤホンの体積を減少させる。また、一つのカナル型イヤホンには本発明に係る両ダイナミック型ドライバーユニットが一体化されたスピーカユニットを１回のみ取り付ければよく、取付効率を向上させて、製品の良品率を向上させることができる。
【図面の簡単な説明】
【００１８】
以下、本発明の実施例又は従来技術における技術的手段をより明確に説明するために、実施例又は従来技術を説明するために必要な添付図面を簡単に説明するが、以下の説明における添付図面は、本発明のいくつかの実施例を示しているに過ぎず、当業者であれば、創造的努力なしに、これらの図面が示している構造からさらに他の図面を導き出すことができることは明らかである。
【００１９】
【図１】本発明に係る両ダイナミック型ドライバーユニットが一体化されたスピーカユニットの第一実施例の構造概略図である。
【図２】図１の構造を別視野から視た概略図である。
【図３】図１におけるハウジングの構造概略図である。
【図４】図３の構造の断面概略図である。
【図５】図１の構造の分解概略図である。
【図６】図１の構造の断面概略図である。
【図７】本発明に係る両ダイナミック型ドライバーユニットが一体化されたスピーカユニットの第一実施例の回路構成概略図である。
【発明を実施するための最良の形態】
【００２０】
以下、本発明の実施例における図面を参照しながら、本発明の実施例における技術的手段を明確かつ完全に説明するが、明らかに、説明する実施例は、本発明の実施例のすべてではなく、単に実施例の一部に過ぎない。本発明の実施例に基づいて、当業者によって創造的努力なしに取得されるすべての他の実施例は、いずれも本発明の保護範囲に属するものである。
【００２１】
なお、本発明の実施例における全ての方向性指示（例えば、上、下、左、右、前、後など）は、図示するような特定の姿勢における各部材間の相対的な位置関係、移動状況などを説明するためのものであり、該特定の姿勢が変化すると、これに応じて該方向性指示も変化する。
【００２２】
本発明では、別途明確な規定と限定がない限り、用語「接続」、「固定」などは広義に理解されるべきである。例えば、「接続」は固定接続してもよく、取外可能に接続してもよく、又は一体的に接続してもよい。また、機械的に接続してもよく、電気的に接続してもよい。また、直接的に接続してもよく、中間部材を介して間接的に接続してもよく、二つの部材の内部の連通又は二つの部材の相互の作用関係であってもよい。当業者であれば、具体的な状況によって上記用語の本発明における具体的な意味を理解することができる。
【００２３】
また、本発明における「第一」、「第二」などの説明は、単に説明するためのものであり、相対的な重要性を指示又は暗示するもの、又は、示された技術的特徴の数を暗示するものではないと理解されるべきである。したがって、「第一」、「第二」によって限定されている特徴は、少なくとも１つの当該特徴を含むことを明示又は暗示することができる。
【００２４】
図１〜図５に示すように、本発明に係る両ダイナミック型ドライバーユニットが一体化されたスピーカユニット１００は、ハウジング１と、ハウジング１内に設けられている電気音響変換アセンブリ２と、回路基板３とを備え、回路基板３には、電気信号の変化を制御して、電気音響変換アセンブリ２に入力して電気音響の変換を実現するための制御回路が設けられている。
【００２５】
前記電気音響変換アセンブリ２は、第一ダイナミック型ドライバーユニット２０ａ及び第二ダイナミック型ドライバーユニット２０ｂを備え、両ダイナミック型ドライバーユニットを設けることにより、スピーカユニット１００から出力されるオーディオの音質を向上させる。本発明のスピーカユニット１００内の第一ダイナミック型ドライバーユニット２０ａ及び第二ダイナミック型ドライバーユニット２０ｂは、同じ周波数のオーディオを出力することもできるし、異なる周波数のオーディオを出力することもできる。
【００２６】
本発明に係るスピーカユニット１００のハウジング１は、両円筒状をなしており、図３に示すように、平行に設けられて互いに離間している第一収容筒１０ａ及び第二収容筒１０ｂを備え、前記第一ダイナミック型ドライバーユニット２０ａ及び第二ダイナミック型ドライバーユニット２０ｂが第一収容筒１０ａ及び第二収容筒１０ｂ内にそれぞれ収容されている。平行に設けられている第一収容筒１０ａ及び第二収容筒１０ｂにより、ハウジングの全高を減少させることができ、第一ダイナミック型ドライバーユニット２０ａ及び第二ダイナミック型ドライバーユニット２０ｂの収容を容易にし、互いに離間して設けることにより、第一ダイナミック型ドライバーユニット２０ａ及び第二ダイナミック型ドライバーユニット２０ｂが収容された後に互いに干渉することを防止する。
【００２７】
前記回路基板３は、ハウジング１の端部に取り付けられて、第一ダイナミック型ドライバーユニット２０ａ及び第二ダイナミック型ドライバーユニット２０ｂと電気的に接続されている。回路基板３は、ハウジング１の端部に取り付けられることにより、スピーカユニット１００のハウジング１の横幅を減少させることができ、第一ダイナミック型ドライバーユニット２０ａ及び第二ダイナミック型ドライバーユニット２０ｂと電気的に接続されることにより、第一ダイナミック型ドライバーユニット２０ａ及び第二ダイナミック型ドライバーユニット２０ｂを統合制御することができ、１つのダイナミック型ドライバーユニットに１つの回路基板を単独で配置することを防止し、資源の無駄を減少させ、スペースの占有を減少させる。
【００２８】
従来技術において１つのスピーカユニットに１つのドライバーユニット（１つのダイナミック型ドライバーユニット又は１つのバランスドアーマチュア型ドライバーユニット）だけが配置されているのに対し、本発明は１つのスピーカユニット１００内に２つのダイナミック型ドライバーユニットが配置されているので、カナル型イヤホンの音質を向上させるとともに、一つのカナル型イヤホンに１つのみのスピーカユニット１００の取付位置を配置すればよく、カナル型イヤホンの体積を減少させる。また、一つのカナル型イヤホンには本発明に係る両ダイナミック型ドライバーユニットが一体化されたスピーカユニット１００を１回のみ取り付ければよく、取付効率を向上させて、製品の良品率を向上させることができる。
【００２９】
さらに、図３に示すように、本発明の実施例のハウジング１の横断面が「８」字状となっている。即ち、ハウジング１は両円筒状をなしており、スピーカユニット１００の輪郭寸法をさらに減少させるとともに、スピーカユニット１００をカナル型イヤホン内に取り付けることを容易にする。
【００３０】
具体的には、図５及び図６に示すように、本発明のスピーカユニット１００の第一ダイナミック型ドライバーユニット２０ａ及び第二ダイナミック型ドライバーユニット２０ｂのそれぞれは、上から順に設けられているヨーク２１、永久磁石２２、ポールピース２３、ボイスコイル２４、振動板２５、銅リング２６及びプロテクタ２７を備える。ヨーク２１及びポールピース２３は磁気を通すためのものであり、永久磁石２２は磁界を発生させるためのものである。銅リング２６は振動板２５を押さえるためのものであり、プロテクタ２７は振動板２５を保護するためのものである。
【００３１】
前記永久磁石２２、ポールピース２３内が中空となって可動室２８を形成し、前記ボイスコイル２４が振動板２５に固定されて前記可動室２８に嵌入され、前記ヨーク２１が板部２１１及び板部２１１から下方に突起するロッド部２１２を備え、前記ヨーク２１の板部２１１が永久磁石２２に密着して設けられ、前記ヨーク２１のロッド部２１２が前記可動室２８内に収容されて前記ボイスコイル２４で巻回され、ボイスコイル２４が前記回路基板３に電気的に接続されている。ボイスコイル２４は、コイル構造であり、回路基板３と電気的に接続されており、ボイスコイル２４に通電すると、ボイスコイル２４における電流の方向、大きさが変化し、該電流の変化と永久磁石２２から発生する磁界とが相互に作用してボイスコイル２４が可動室２８内を上下動し、ボイスコイル２４の上下動により振動板２５が上下に振動して空気を介して音を放出する。
【００３２】
図４及び図６に示すように、本発明のスピーカユニット１００のハウジング１の第一収容筒１０ａ及び第二収容筒１０ｂのそれぞれは、上室１１と、下室１２と、上室１１と下室１２とを仕切る仕切り段差１３とを備え、前記ヨーク２１、永久磁石２２、ポールピース２３が上室１１内でそれぞれ上から順に密着して設けられ、前記ポールピース２３の下端面２３１が仕切り段差１３の上端面１３１と当接されている。
【００３３】
前記振動板２５、銅リング２６及びプロテクタ２７が下室１２内でそれぞれ上から下にかけて取り付けられ、振動板２５の上端面２５１が仕切段差１３の下端面１３２に当接され、振動板２５の下端面２５２が銅リング２６の上端面２６１に当接され、前記プロテクタ２７が銅リング２６と間隔をおいて設けられており、銅リング２６及びプロテクタ２７が下室１２と締り嵌めされている。プロテクタ２７と銅リング２６とが、振動板２５が下方に振動する空間を空けるために間隔をおいて設けられている。
【００３４】
前記ボイスコイル２４は、前記上室１１内に突出して上室１１内の永久磁石２２から発生する磁界と作用する。
【００３５】
好ましくは、本発明のスピーカユニット１００の第一収容筒１０ａ及び第二収容筒１０ｂのそれぞれの上室１１内に位置規制溝１４が設けられ、前記ヨーク２１の板部２１１のエッジが前記位置規制溝１４に嵌合されている。これにより永久磁石２２、ポールピース２３、ヨーク２１を速やかに上室１１内に固定することができ、組付時にポールピース２３を上室１１内に入れて仕切り段差１３の上端面１３１に当接させ、次に永久磁石２２を入れてポールピース２３に当接させ、更にヨーク２１を入れて永久磁石２２に当接させるとともに、ヨーク２１の板部２１１のエッジを位置規制溝１４に嵌合させることで三者を位置規制して係止する。
【００３６】
好ましくは、本発明に係るスピーカユニット１００の回路基板３は、中間のブリッジ接続板３１及びブリッジ接続板３１の両端に位置する円板３２を備え、前記両円板３２が第一収容筒１０ａ及び第二収容筒１０ｂ内にそれぞれ収容されて、ヨーク２１の板部２１１の上方に位置する。回路基板３がブリッジ接続構造とされてハウジング１内に取り付けられることにより、ハウジング１の高さ寸法を減少させて、ハウジング１の空間占有体積を減少させることができる。
【００３７】
さらに、前記回路基板３の円板３２に軸方向に第一貫通孔３３が穿設され、前記ヨーク２１のロッド部２１２に軸方向に第二貫通孔２１２１が穿設され、前記第一貫通孔３３と第二貫通孔２１２１とが連通している。第一貫通孔３３が第二貫通孔２１２１と連通して振動板２５の上方と直接連通しているので、ボイスコイル２４の配線及びハウジング１内部の放熱を容易にする。
【００３８】
好ましくは、図３に示すように、ハウジング１は、第一収容筒１０ａ及び第二収容筒１０ｂのそれぞれの外側壁にクイック取付溝１５が設けられている。クイック取付溝１５は、本発明のスピーカユニット１００をカナル型イヤホンのハウジングに速やかに取り付けることができる。
【００３９】
図７に示すように、本発明に係るスピーカユニット１００の回路基板３には、入力されたオーディオ信号を周波数の異なる信号に変換して第一ダイナミック型ドライバーユニット２０ａ及び第二ダイナミック型ドライバーユニット２０ｂにそれぞれ送信する分周回路３４が設けられている。例えば、低周波の信号を第一ダイナミック型ドライバーユニット２０ａに送信して低周波のオーディオを発生させ、中高周波の信号を第二ダイナミック型ドライバーユニット２０ｂに送信して高周波のオーディオを発生させるか、又は低周波の信号を第二ダイナミック型ドライバーユニット２０ｂに送信して低周波のオーディオを発生させ、中高周波の信号を第一ダイナミック型ドライバーユニット２０ａに送信して高周波の音声を発生させる。分周回路３４を設けることにより、本発明のスピーカユニット１００内の２つのダイナミック型ドライバーユニットが周波数の異なるオーディオを発生させて、カナル型イヤホン全体の音質を向上させる。
【００４０】
本発明の実施例に係る両ダイナミック型ドライバーユニットが一体化されたスピーカユニット１００は、１つのスピーカユニット１００内に２つのダイナミック型ドライバーユニットを設けて、２つのダイナミック型ドライバーユニットが１つのハウジング１及び回路基板３を共用してオーディオの再生を行うことにより、一つのカナル型イヤホンに１つのみのスピーカユニット１００の取付位置を配置すればよく、イヤホンの体積を減少させる。また、一つのカナル型イヤホンには本発明に係る両ダイナミック型ドライバーユニットが一体化されたスピーカユニット１００を１回のみ取り付ければよく、取付効率を向上させて、製品の良品率を向上させることができる。
【００４１】
以上の記載は、単に本発明の好ましい実施例に過ぎず、本発明の保護範囲を限定するためのものではなく、本発明の構想から逸脱せずに、本発明の明細書及び添付図面の内容に基づいてなされた同等の構造の変更、又は他の関連する技術分野に直接／間接的に適用したものは、いずれも本発明の保護範囲内に含まれるものである。
【符号の説明】
【００４２】
１００…スピーカユニット
１…ハウジング
１０ａ…第一収容筒
１０ｂ…第二収容筒
１１…上室
１２…下室
１３…仕切り段差
１３１…仕切り段差の上端面
１３２…仕切り段差の下端面
１４…位置規制溝
１５…クイック取付溝
２…電気音響変換アセンブリ
２０ａ…第一ダイナミック型ドライバーユニット
２０ｂ…第二ダイナミック型ドライバーユニット
２１…ヨーク
２１１…板部
２１２…ロッド部
２１２１…第二貫通孔
２２…永久磁石
２３…ポールピース
２３１…ポールピースの下端面
２４…ボイスコイル
２５…振動板
２５１…振動板の上端面
２５２…振動板の下端面
２６…銅リング
２６１…銅リングの上端面
２７…プロテクタ
２８…可動室
３…回路基板
３１…ブリッジ接続板
３２…円板
３３…第一貫通孔
３４…分周回路 
【図１】
0006985438.tif 000002
【図２】
0006985438.tif 000003
【図３】
0006985438.tif 000004
【図４】
0006985438.tif 000005
【図５】
0006985438.tif 000006
【図６】
0006985438.tif 000007
【図７】
0006985438.tif 000008